(57)【特許請求の範囲】
【請求項１】
ユーザーによりモバイル端末をもちいて選択された放送コンテンツのコンテンツ情報と、前記放送コンテンツの録画を指示する録画指示情報とを受信して、
前記受信したコンテンツ情報が示す放送コンテンツが属するコンテンツグループを判別し、
判別されたコンテンツグループに属する放送コンテンツと、該放送コンテンツの少なくとも一部を録画指示する録画コマンドとを、前記放送コンテンツを録画する録画機能を有する端末に伝送することを特徴とする放送コンテンツ提供装置。
【請求項２】
ユーザーグループ毎の放送コンテンツに対する評価が記憶されるユーザ評価データベースと、
ユーザを識別するユーザ情報が記憶されるユーザ情報データベースと、
前記ユーザ情報が示すユーザが属するユーザグループを判定するユーザグループ判定部と、
前記ユーザグループ判定部で判定されるユーザグループと前記ユーザ評価データベースに記憶される前記ユーザーグループ毎の放送コンテンツに対する分析データとに基づき放送コンテンツを選択する双方向強調フィルタリング部と、を備え、
前記ユーザグループ判定部で判定されるユーザグループにおける前記ユーザ評価データベースに記憶される放送コンテンツに対する分析データに基づいて前記双方強調フィルタリング部により選択された、放送コンテンツと、該放送コンテンツの少なくとも一部を録画指示する録画コマンドとを、前記放送コンテンツを録画する録画機能を有する端末に伝送することを特徴とする放送コンテンツ提供装置。
【請求項３】
ユーザーによりモバイル端末をもちいて選択された放送コンテンツのコンテンツ情報と、前記放送コンテンツの録画を指示する録画指示情報とを受信する受信ステップと、
前記受信したコンテンツ情報が示す放送コンテンツが属するコンテンツグループを判別するコンテンツグループ判別ステップと、
判別されたコンテンツグループに属する放送コンテンツと、該放送コンテンツの少なくとも一部を録画指示する録画コマンドとを、前記放送コンテンツを録画する録画機能を有する端末に伝送する伝送ステップと、
を有することを特徴とする放送コンテンツ提供方法。
【請求項４】
放送コンテンツ提供方法を利用するユーザのユーザ情報を受信する受信ステップと、
前記受信したユーザ情報が示すユーザが属するユーザグループを判別するユーザグループ判別ステップと、
判別されたユーザグループにおける放送コンテンツに対する分析データに基づいて選択された、放送コンテンツと、該放送コンテンツの少なくとも一部を録画指示する録画コマンドとを、前記放送コンテンツを録画する録画機能を有する端末に伝送する伝送ステップと、
を有することを特徴とする放送コンテンツ提供方法。
【発明の詳細な説明】
【０００１】
【発明の属する技術分野】
本発明は、放送コンテンツ提供装置および放送コンテンツ提供方法に係り、特に、テレビ放送やラジオ放送などで放送される広告等の放送コンテンツおよび録画コマンドを提供する放送コンテンツ提供装置および放送コンテンツ提供方法に関する。
【０００２】
【従来の技術】
従来、テレビ放送の視聴者がテレビ番組等の放送コンテンツの予約録画を行うためには、ビデオテープレコーダ（ＶＴＲ）の録画機能を用いて所望の放送コンテンツまたは放送時間および放送チャネルを予め決定している。この録画予約操作によって、ＶＴＲは、ユーザによって予約された放送コンテンツまたは放送時間および放送チャネルを記憶し、予約済み放送コンテンツを受信したとき、または予約された放送時間となったときに録画を開始する。
【０００３】
【発明が解決しようとする課題】
このように、放送コンテンツの録画予約はＶＴＲの操作によって行われ、録画予約に関する情報はＶＴＲが記憶／管理し、録画を開始するタイミングもＶＴＲが判断しているといったように、従来は放送コンテンツの録画予約に関する機能を全てＶＴＲに依存していた。さらに、ＶＴＲは通常据え置いて利用されるものであるため、ユーザが録画予約を忘れて外出してしまった場合など、ユーザは放送コンテンツの録画をあきらめるか、わざわざＶＴＲの設置場所に戻らなければならなかった。
【０００４】
また、従来では、視聴者がテレビコマーシャル等の広告の視聴を希望しても、どの広告がどの時間帯に放送されるのかに関する情報が視聴者に知らされることは一般にはないため、視聴者は所望の広告が放送されるまでテレビ放送を視聴しながらじっと待たなければならなかった。さらに、視聴者が広告の視聴だけでなく録画も希望している場合には、所望の広告が運良く放送されても、視聴者によっては録画を開始するタイミングが遅れてしまったりするため、視聴者が希望する広告を容易かつ完全に録画可能な装置または方法が求められていた。
【０００５】
本発明は、上記従来の事情および要望に鑑みてなされたものであって、放送コンテンツの録画予約に関する機能をＶＴＲ等の録画機に完全に依存せず、外部からの指示によって放送コンテンツを録画可能な放送コンテンツ提供装置および放送コンテンツ提供方法を提供することを目的とする。
【０００６】
【課題を解決するための手段】
上記課題を解決するために、本発明に係る放送コンテンツ提供装置は、提供される放送コンテンツのうち、少なくとも一部の放送コンテンツの録画を指示する録画コマンドを伝送する放送コンテンツ提供装置であって、放送コンテンツの録画を指示する録画指示情報に応じて、前記録画コマンドを伝送するものである。
【０００７】
また、本発明に係る放送コンテンツ提供装置は、本発明に係る放送コンテンツ提供装置において、前記録画指示情報は持ち運び可能なモバイル端末から送信されたものである。
【０００８】
また、本発明に係る放送コンテンツ提供装置は、本発明に係る放送コンテンツ提供装置において、放送コンテンツのコンテンツメニューを利用して選択された放送コンテンツのコンテンツ情報と、前記放送コンテンツの録画を指示する録画指示情報とを受信して、前記受信したコンテンツ情報が示す放送コンテンツと、該放送コンテンツの録画を指示する録画コマンドとを伝送するものである。
【０００９】
また、本発明に係る放送コンテンツ提供装置は、本発明に係る放送コンテンツ提供装置において、放送コンテンツのコンテンツメニューを利用して選択された放送コンテンツのコンテンツ情報と、前記放送コンテンツの録画を指示する録画指示情報とを受信して、前記受信したコンテンツ情報が示す放送コンテンツが属するコンテンツグループを判別し、判別されたコンテンツグループに属する放送コンテンツと、該放送コンテンツの少なくとも一部を録画指示する録画コマンドとを伝送するものである。
【００１０】
また、本発明に係る放送コンテンツ提供装置は、本発明に係る放送コンテンツ提供装置において、当該放送コンテンツ提供装置を利用するユーザのユーザ情報を受信して、前記受信したユーザ情報が示すユーザが属するユーザグループを判別し、判別されたユーザグループで評価の高い放送コンテンツと、該放送コンテンツの少なくとも一部を録画指示する録画コマンドとを伝送するものである。
【００１１】
また、本発明に係る放送コンテンツ提供装置は、本発明に係る放送コンテンツ提供装置において、前記放送コンテンツを提供者数に応じて放送または通信で伝送するものである。
【００１２】
また、本発明に係る放送コンテンツ提供装置は、本発明に係る放送コンテンツ提供装置において、前記録画コマンドを通信で伝送するものである。
【００１３】
また、本発明に係る放送コンテンツ提供装置は、本発明に係る放送コンテンツ提供装置において、前記放送コンテンツは広告コンテンツである。
【００１４】
また、本発明に係る放送コンテンツ提供装置は、本発明に係る放送コンテンツ提供装置において、前記放送コンテンツはニュースである。
【００１５】
また、本発明に係る放送コンテンツ提供方法は、提供される放送コンテンツのうち、少なくとも一部の放送コンテンツの録画を指示する録画コマンドを伝送する放送コンテンツ提供方法であって、放送コンテンツの録画を指示する録画指示情報に応じて、前記録画コマンドを伝送するものである。
【００１６】
また、本発明に係る放送コンテンツ提供方法は、本発明に係る放送コンテンツ提供方法において、前記録画指示情報は持ち運び可能なモバイル端末から送信されたものである。
【００１７】
また、本発明に係る放送コンテンツ提供方法は、本発明に係る放送コンテンツ提供方法において、放送コンテンツのコンテンツメニューを利用して選択された放送コンテンツのコンテンツ情報と、前記放送コンテンツの録画を指示する録画指示情報とを受信する受信ステップと、前記受信したコンテンツ情報が示す放送コンテンツと、該放送コンテンツの録画を指示する録画コマンドとを伝送する伝送ステップとを有するものである。
【００１８】
また、本発明に係る放送コンテンツ提供方法は、本発明に係る放送コンテンツ提供方法において、放送コンテンツのコンテンツメニューを利用して選択された放送コンテンツのコンテンツ情報と、前記放送コンテンツの録画を指示する録画指示情報とを受信する受信ステップと、前記受信したコンテンツ情報が示す放送コンテンツが属するコンテンツグループを判別するコンテンツグループ判別ステップと、判別されたコンテンツグループに属する放送コンテンツと、該放送コンテンツの少なくとも一部を録画指示する録画コマンドとを伝送する伝送ステップとを有するものである。
【００１９】
また、本発明に係る放送コンテンツ提供方法は、本発明に係る放送コンテンツ提供方法において、当該放送コンテンツ提供方法を利用するユーザのユーザ情報を受信する受信ステップと、前記受信したユーザ情報が示すユーザが属するユーザグループを判別するユーザグループ判別ステップと、判別されたユーザグループで評価の高い放送コンテンツと、該放送コンテンツの少なくとも一部を録画指示する録画コマンドとを伝送する伝送ステップとを有するものである。
【００２０】
また、本発明に係る放送コンテンツ提供方法は、本発明に係る放送コンテンツ提供方法において、前記放送コンテンツは提供者数に応じて放送または通信で伝送されるものである。
【００２１】
また、本発明に係る放送コンテンツ提供方法は、本発明に係る放送コンテンツ提供方法において、前記録画コマンドは通信で伝送されるものである。
【００２２】
また、本発明に係る放送コンテンツ提供方法は、本発明に係る放送コンテンツ提供方法において、前記放送コンテンツは広告コンテンツである。
【００２３】
また、本発明に係る放送コンテンツ提供方法は、本発明に係る放送コンテンツ提供方法において、前記放送コンテンツはニュースである。
【００２４】
また、本発明に係るコンピュータにより読み取り可能な記録媒体は、本発明に係る放送コンテンツ提供方法をコンピュータに実行させるためのプログラムとして記録したものである。
【００２５】
また、本発明に係る放送システムは、提供される放送コンテンツのうち、少なくとも一部の放送コンテンツの録画を指示する録画コマンドを伝送する放送システムであって、放送コンテンツの録画を指示する録画指示情報に応じて、前記録画コマンドを伝送するものである。
【００２６】
また、本発明に係る放送システムは、本発明に係る放送システムにおいて、前記録画指示情報は持ち運び可能なモバイル端末から送信されたものである。
【００２７】
さらに、本発明に係る放送システムは、本発明に係る放送システムにおいて、前記録画コマンドを受信した受信端末は、該録画コマンドが指示する放送コンテンツを受信すると該放送コンテンツを録画するものである。
【００２８】
本発明の本発明に係る放送コンテンツ提供装置、本発明に係る放送コンテンツ提供方法、本発明に係る記録媒体および本発明に係る放送システムでは、放送コンテンツの録画を指示する録画指示情報に応じて、提供される放送コンテンツのうち、少なくとも一部の放送コンテンツの録画を指示する録画コマンドを伝送している。特に、本発明に係る放送システムでは、録画コマンドを受信した受信端末は、該録画コマンドが指示する放送コンテンツを受信すると該放送コンテンツを録画している。
【００２９】
したがって、ユーザは放送コンテンツの放送時間を気にすることなく所望の放送コンテンツを確実に録画することができる。特に、所望の放送コンテンツがどの時間に提供されるかが不明である場合、従来は所望の放送コンテンツが提供されるまで視聴しながらじっと待機していなければならなかったが、録画コマンドには放送コンテンツの識別情報等が設定されているために録画は自動的に行われ、ユーザによる手間を大幅に省力化できる。
【００３０】
また、本発明に係る放送コンテンツ提供装置、本発明に係る放送コンテンツ提供方法、本発明に係る記録媒体および本発明に係る放送システムでは、持ち運び可能なモバイル端末から録画指示情報が送信されている。従来では、録画予約に関する機能を据え置き型の装置に依存していたため、録画予約を忘れて外出してしまったときは、録画をあきらめるか前記装置の設置場所にわざわざ戻らなければならなかったが、本発明では、持ち運び可能なモバイル端末から録画指示を行うことができるため、ユーザは場所を選ばずにいつでも録画予約することができる。
【００３１】
また、本発明に係る放送コンテンツ提供装置、本発明に係る放送コンテンツ提供方法および本発明に係る記録媒体では、放送コンテンツのコンテンツメニューを利用して選択された放送コンテンツのコンテンツ情報と、該放送コンテンツの録画を指示する録画指示情報とを受信して、受信したコンテンツ情報が示す放送コンテンツと、該放送コンテンツの録画を指示する録画コマンドとを伝送している。したがって、ユーザは所望の放送コンテンツだけを録画することができるため、必要な放送コンテンツを短時間でチェックすることができる。
【００３２】
また、本発明に係る放送コンテンツ提供装置、本発明に係る放送コンテンツ提供方法および本発明に係る記録媒体では、放送コンテンツのコンテンツメニューを利用して選択された放送コンテンツのコンテンツ情報と、該放送コンテンツの録画を指示する録画指示情報とを受信して、受信したコンテンツ情報が示す放送コンテンツが属するコンテンツグループを判別し、判別されたコンテンツグループに属する放送コンテンツと、該放送コンテンツの少なくとも一部を録画指示する録画コマンドとを伝送している。したがって、ユーザは所望した放送コンテンツに加えて該放送コンテンツと同系列の放送コンテンツをもチェックすることができるため、所望した放送コンテンツに関連するより多くの情報を得ることができる。
【００３３】
また、本発明に係る放送コンテンツ提供装置、本発明に係る放送コンテンツ提供方法および本発明に係る記録媒体では、放送コンテンツ提供装置（放送コンテンツ提供方法）を利用するユーザのユーザ情報を受信して、受信したユーザ情報が示すユーザが属するユーザグループを判別し、判別されたユーザグループで評価の高い放送コンテンツと、該放送コンテンツの少なくとも一部を録画指示する録画コマンドとを伝送する。したがって、ユーザは、同世代、同性、趣味や職種等が共通する人々が高く評価する放送コンテンツを知ることができるため、そのとき評判の放送コンテンツをチェックできる。
【００３４】
さらに、ユーザが上記した３つの選択肢の中から１つを選択できるようコンテンツメニュー等を設定しておくことによって、各ユーザの希望に応じた放送コンテンツ提供体系を実現することができる。
【００３５】
また、本発明に係る放送コンテンツ提供装置、本発明に係る放送コンテンツ提供方法および本発明に係る記録媒体では、放送コンテンツが提供者数に応じて放送または通信で伝送されている。提供者数が多いときは放送によって放送コンテンツを提供し、提供者数が少ないときは通信によって放送コンテンツを提供するよう設定し、放送と通信とを使い分けることにより放送コンテンツの多様な提供方式を実現することができる。
【００３６】
また、本発明に係る放送コンテンツ提供装置、本発明に係る放送コンテンツ提供方法および本発明に係る記録媒体では、録画コマンドが通信で伝送されることが望ましい。
【００３７】
また、本発明に係る放送コンテンツ提供装置、本発明に係る放送コンテンツ提供方法および本発明に係る記録媒体では、放送コンテンツは広告コンテンツである。通常、個々の広告コンテンツに関して、提供時間がユーザに知らされることは通常ないため、従来は所望の広告コンテンツが提供されるまで視聴しながらじっと待機していなければならなかったが、広告コンテンツが提供されたとき録画コマンドによって自動的に録画が行われるため、ユーザによる手間を大幅に省力化できる。
【００３８】
さらに、本発明に係る放送コンテンツ提供装置、本発明に係る放送コンテンツ提供方法および本発明に係る記録媒体では、放送コンテンツはニュースである。このように、コンテンツ単位が番組単位ではなくニュース単位であれば、ユーザは所望のニュースのみを録画することができるため、ニュース番組全体を録画した場合と比較して、録画後に所望のニュースを探し出す手間を省くことができる。したがって、ユーザは必要な情報だけを短時間でチェックすることができる。
【００３９】
【発明の実施の形態】
以下、本発明の放送コンテンツ提供装置、放送コンテンツ提供方法および記録媒体、並びに放送システムの実施の形態について、図面を参照して詳細に説明する。なお、以下説明する実施形態では、本発明に係る放送システムおよび放送コンテンツ提供方法について詳述するが、本発明に係る放送コンテンツ提供装置は以下に説明する放送システムに含まれるものである。また、本発明に係る記録媒体については、放送コンテンツ提供方法を実行させるためのプログラムを記録した記録媒体であることから、その説明は以下の放送コンテンツ提供方法の説明に含まれるものである。
【００４０】
また、本実施形態では、放送コンテンツを特にテレビコマーシャル等の広告コンテンツ（以下、単に広告と称す）として説明するが、当該放送システムおよび放送コンテンツ提供方法は、広告だけに限らずニュース等の放送番組にも適用可能である。このとき、本実施形態の説明に出現する「広告」という言葉を「放送番組」という言葉に置き換える。また、本明細書中に用いられている「録画」という言葉は、画像だけではなく音声の記録も含んだ意味の言葉として用いられている。
【００４１】
図１は、本発明の一実施形態に係る放送システムを示すブロック構成図である。同図において、本実施形態の放送システム１００は、送受信部１１１、表示部１１３および広告選択部１１５を有するモバイル端末１１０と、広告データベース１２１、広告メニュー送信部１２３、サーバ受信部１２５、提供広告決定部１２７、ユーザ情報データベース１２９、ユーザ評価データベース１３１、広告提供部１３３および広告提供履歴データベース１３５を有し、広告等の放送コンテンツを提供するコンテンツサーバ１２０と、コンテンツ受信部１４１、コンテンツ表示部１４３およびコンテンツ録画部１４５を有し、デジタルテレビ放送を受信および表示するデジタルテレビ（以下、ＤＴＶ端末と称す）１４０とを備えて構成されている。
【００４２】
なお、モバイル端末１１０は、携帯電話機やＰＤＡ（携帯情報端末）、ノートパソコン等の持ち運び可能な移動端末であり、コンテンツサーバ１２０と無線または有線の通信ネットワーク（図示せず）によって接続されている。また、コンテンツサーバ１２０は、ＤＴＶ端末１４０とも通信ネットワークによって接続されている。また、コンテンツサーバ１２０からＤＴＶ端末１４０に提供される広告は、地上波デジタル放送によって提供されるものであっても、デジタル衛星放送によって提供されるものであっても良く、後述するように、場合によっては通信ネットワークを介した通信によって提供される。
【００４３】
以下に、モバイル端末１１０の各構成要素について説明する。まず、送受信部１１１は、コンテンツサーバ１２０とデータ信号の送受信を行うものであり、コンテンツサーバ１２０から広告ＩＤや広告内容等の情報を含む広告メニューを受信し、コンテンツサーバ１２０に広告ＩＤ、録画命令、モード番号およびユーザＩＤ等の情報を送信する。また、表示部１１３は、コンテンツサーバ１２０から送信された広告メニューを画面に表示するものである。さらに、広告選択部１１５は、表示部１１３に表示された広告メニューを用いて録画したい広告を選択するものである。なお、モバイル端末１１０は、コンテンツサーバ１２０に対して広告メニューの送信を要求することによって、広告メニューを得ることができる。
【００４４】
本実施形態においては、コンテンツサーバ１２０がＤＴＶ端末１４０に提供する広告が、後述する３つのモード（実施例）によってそれぞれ異なる。したがって、モバイル端末１１０は、ユーザに広告選択部１１５を用いたモードの選択を促しても良いし、デフォルトで所定のモードを行うようにしても良いが、どちらにしても、モバイル端末１１０はコンテンツサーバ１２０にモード番号を送信する。
【００４５】
次に、コンテンツサーバ１２０の各構成要素について説明する。まず、広告データベース１２１は、放送される可能性のある広告そのもののデータ（以下、広告データと称す）および広告ＩＤや広告内容、広告主（スポンサー）、製品またはサービスの種類等の付加情報を保持するデータベースであり、広告データと付加情報とは構造化されている。また、広告メニュー送信部１２３は、広告データベース１２１に保持されている付加情報を用いて広告ＩＤや広告内容等の情報を含む広告メニューを作成し、広告メニューを要求したモバイル端末１１０に送信するものである。
【００４６】
また、サーバ受信部１２５は、モバイル端末１１０から送信された広告ＩＤ、録画命令、モード番号およびユーザＩＤ等の情報を受信するものである。また、提供広告決定部１２７は、サーバ受信部１２５が受信した情報を参照して、ユーザによって指定されたモードの方式でＤＴＶ端末１４０に提供する広告を決定するものである。なお、提供広告決定部１２７は、各モードによって使用される構成要素および動作が異なるが、モード毎の構成および動作の説明は実施例として後述する。
【００４７】
ユーザ情報データベース１２９は、当該放送システム１００を利用するユーザのユーザＩＤ、世代、性別、趣味、職種等に関する個人情報を保持するデータベースであり、モバイル端末１１０から送信されたユーザＩＤから広告を提供するＤＴＶ端末１４０を特定するときなどに用いられる。また、ユーザ評価データベース１３１は、テレビ放送の視聴者による広告に対する評価を分析して得られた結果を保持するデータベースであり、例えば、３０代男性が高く評価する広告などの分析データが保持されている。
【００４８】
また、広告提供部１３３は、広告データ送信部１３３ｂおよび録画コマンド送信部１３３ａを有して構成されている。広告データ送信部１３３ｂは、提供広告決定部１２７で決定された広告の広告データを、テレビ放送で（Ｂ）または通信ネットワーク（Ｃ）を介してＤＴＶ端末１４０に送信するものである。また、録画コマンド送信部１３３ａは、広告の放送スケジュールを指定すると共に、録画する広告の広告ＩＤ等を付加情報として備えた広告の録画を指示する録画コマンドを、テレビ放送でまたは通信ネットワークを介してＤＴＶ端末１４０に送信するものである。
【００４９】
通常、広告データはテレビ放送としてＤＴＶ端末１４０に提供されるが、録画コマンドはインターネット等の通信ネットワークを介してＤＴＶ端末１４０に送信される。なお、録画コマンドは、提供広告決定部１２７で決定された広告の提供に先立ってＤＴＶ端末１４０に送信されるものであり、一広告に対する録画命令であっても、複数の広告に対する録画命令であっても良い。また、録画コマンド送信部１３３ｂは、テレビ放送で録画コマンドをＤＴＶ端末１４０に送信しても良い。
【００５０】
また、ある時間において提供する広告の提供先（ＤＴＶ端末）が少ない場合、広告提供部１３３は、広告データをテレビ放送としてではなく通信としてＤＴＶ端末１４０に送信する。これは、広告主（スポンサー）が希望する広告を提供するときも同様であり、所望のユーザグループに特定の広告を提供する場合、このユーザグループに属するユーザ数が多いときはテレビ放送として広告を提供し、ユーザ数が少ないときは通信で広告を提供する。
【００５１】
さらに、広告提供履歴データベース１３５は、広告提供部１３３からＤＴＶ端末１４０に提供された広告の履歴を保持するデータベースであり、広告提供部１３３から広告が提供される度に更新される。但し、広告提供履歴データベース１３５の記憶容量は限られているため、最も古いデータから削除していく先入れ先出し（ＦＩＦＯ）方式でデータを更新していく。
【００５２】
次に、ＤＴＶ端末１４０の各構成要素について説明する。まず、コンテンツ受信部１４１は、広告データ受信部１４１ｂおよび録画コマンド受信部１４１ａを有して構成されている。広告データ受信部１４１ｂは、コンテンツサーバ１２０の広告データ送信部１３３ｂから放送または通信で送信された広告データを受信するものである。また、録画コマンド受信部１４１ａは、コンテンツサーバ１２０の録画コマンド送信部１３３ａから放送または通信で送信された録画コマンドを受信するものである。また、コンテンツ表示部１４３は、コンテンツ受信部１４１で受信した放送コンテンツを表示するものである。さらに、コンテンツ録画部１４５は、コンテンツ受信部１４１で受信した録画コマンドが指示する広告を含む放送コンテンツを録画するものである。
【００５３】
なお、コンテンツ受信部１４１やコンテンツ録画部１４５は、必ずしもＤＴＶ端末１４０内部に構成する必要はなく、他の装置として別途構成しても良い。また、モバイル端末１１０が有する広告選択部１１５を、ＤＴＶ端末１４０が備えていても良い。このとき、ユーザは、モバイル端末１１０およびＤＴＶ端末１４０のどちらからでも録画予約することができる。
【００５４】
次に、３つの異なるモードに応じた提供広告決定部１２７の構成および動作について説明する。なお、第１モードの場合を第１実施例とし、第２モードの場合を第２実施例とし、第３モードの場合を第３実施例とする。また、第３実施例の場合、ユーザは、モバイル端末１１０からコンテンツサーバ１２０に送信される情報として広告ＩＤを送信する必要はない。
【００５５】
（第１実施例）
図２は、第１実施例に係る提供広告決定部の内部構成および周辺を示すブロック図である。同図に示すように、第１実施例の提供広告決定部１２７ａは、双方向協調フィルタリング部１５１ａを備えて構成されている。双方向協調フィルタリング部１５１ａは、モバイル端末１１０からコンテンツサーバ１２０に送信された広告ＩＤの広告データを、広告データベース１２１からフィルタリングして読み出すものである。双方向協調フィルタリング部１５１ａで読み出された広告データは広告提供部１３３に送られ、モバイル端末１１０から送信されたユーザＩＤに対応するＤＴＶ端末１４０に向けて提供される。
【００５６】
（第２実施例）
図３は、第２実施例に係る提供広告決定部の内部構成および周辺を示すブロック図である。同図に示すように、第２実施例の提供広告決定部１２７ｂは、広告グループ判定部１５３と双方向協調フィルタリング部１５１ｂとを備えて構成されている。広告グループ判定部１５３は、広告データベース１２１に保持されている広告に対して共通性のあるものをグループ化し、モバイル端末１１０からコンテンツサーバ１２０に送信された広告ＩＤを参照して、この広告ＩＤに対応する広告がどの広告グループに属するかを判定するものである。なお、広告グループは、広告主（スポンサー）、製品またはサービスの種類等によって分類されたものである。
【００５７】
また、双方向協調フィルタリング部１５１ｂは、広告グループ判定部１５３で判定された広告グループに属する広告の広告データを、広告データベース１２１からフィルタリングして読み出すものである。双方向協調フィルタリング部１５１ｂで読み出された広告データは、第１実施例と同様に広告提供部１３３に送られ、ユーザＩＤに対応するＤＴＶ端末１４０に向けて提供される。
【００５８】
（第３実施例）
図４は、第３実施例に係る提供広告決定部の内部構成および周辺を示すブロック図である。同図に示すように、第３実施例の提供広告決定部１２７ｃは、ユーザグループ判定部１５５と双方向協調フィルタリング部１５１ｃとを備えて構成されている。ユーザグループ判定部１５５は、ユーザ情報データベース１２９に保持されている個人情報に対して共通性のある者をグループ化し、モバイル端末１１０からコンテンツサーバ１２０に送信されたユーザＩＤに対応するユーザがどのユーザグループに属するかを判定するものである。なお、ユーザグループは、世代や年代、趣味、職業等によって分類されたものである。
【００５９】
また、双方向協調フィルタリング部１５１ｃは、ユーザ評価データベース１３１を参照して、ユーザグループ判定部１５５で判定されたユーザグループで評価の高い広告の広告データを、広告データベース１２１からフィルタリングして読み出すものである。双方向協調フィルタリング部１５１ｃで読み出された広告データは、第１実施例と同様に広告提供部１３３に送られ、ユーザＩＤに対応するＤＴＶ端末１４０に向けて提供される。
【００６０】
次に、放送コンテンツ提供方法として、本実施形態に係る放送システム１００の動作について簡単に説明する。
まず、ユーザが、モバイル端末１１０を用いてコンテンツサーバ１２０に広告メニューの送信要求を行う。コンテンツサーバ１２０がこの要求を受けると、広告メニュー送信部１２３は広告メニューを作成してモバイル端末１１０に送信する。広告メニューがモバイル端末１１０に送信されるとモバイル端末１１０の表示部１１３に広告メニューが表示されるため、ユーザは表示された広告メニューを用いて録画したい広告を選択する。このとき、ユーザは、上記したどのモード（実施例）で当該放送システムを利用するかを選択しても良い。
【００６１】
次に、モバイル端末１１０は、選択された広告の広告ＩＤ、録画命令、モード番号およびユーザＩＤ等の情報を送信する。なお、ユーザによってモード選択が行われなかったときは、デフォルトで所定のモード番号を送信する。これらの情報はサーバ受信部１２５によって受信され、提供広告決定部１２７に送られる。提供広告決定部１２７は、ユーザが指定したモードでＤＴＶ端末１４０に提供する広告を決定し、決定された広告の広告データを広告データベース１２１から読み出し広告提供部１３３に送る。
【００６２】
広告提供部１３３は、広告を提供する提供先数に応じて、テレビ放送として提供するか、通信ネットワークを介した通信で提供するかを決定した後、決定された方法で広告データを提供する。広告が提供されると提供時間や広告ＩＤ等の情報が履歴として広告提供履歴データベースに書き込まれ、一連の処理を終了する。
【００６３】
以上説明したように、本実施形態に係る放送システム１００および放送コンテンツ提供方法によれば、広告メニューを用いて録画予約された広告に対しては、コンテンツサーバ１２０からＤＴＶ端末１４０に録画コマンドが送信され、ＤＴＶ端末１４０は録画コマンドに応じて録画を行うため、従来のように所望の広告が放送されるまでテレビ放送を視聴しながら待つ必要がなくなり、ユーザは放送時間を気にすることなく所望の広告を確実に録画することができる。また、録画予約に関する機能をＤＴＶ端末１４０または据え置き型の他の装置に依存せず、持ち運び可能なモバイル端末１１０からの録画予約を可能としたため、ユーザは場所を選ばずにいつでも録画予約することができる。
【００６４】
また、ユーザはモードの選択によって、ＤＴＶ端末１４０に提供される広告として、希望する広告のみ（第１モード）か、希望する広告が属する広告グループの広告（第２モード）か、ユーザが属するユーザグループで評価の高い広告（第３モード）かを選ぶことができるため、各ユーザの希望に応じた広告提供体系を実現することができる。また、広告主（スポンサー）にとっては、自社の商品またはサービスを、その商品またはサービスに興味のあるユーザに効果的に宣伝することができる。さらに、ユーザが第１モードまたは第２モードを選択したとき、放送コンテンツを放送する放送局はユーザが興味のある広告を集計することができるため、放送局にとっては、集計結果を統計的に分析した結果を用いて広告放送料金を最適に設定することができる。
【００６５】
また、第１モードでは、ユーザが希望した広告だけが録画されるため、ユーザは必要な広告だけを短時間でチェックすることができる。また、第２モードでは、ユーザが希望した広告に加えてこの広告と同系列の広告をもチェックすることができるため、所望した広告に関連するより多くの情報を得ることができる。さらに、第３モードでは、ユーザが、同世代、同性、趣味や職種等が共通する人々が高く評価する広告を知ることができるため、そのとき評判の広告をチェックできる。
【００６６】
また、広告提供する方式として放送系と通信系とを使い分けることによって、広告の多様な提供方式を実現することができ、放送局にとっては、提供方式に応じた料金を設定することができるなど、システム的にも多様な放送系を実現することができる。
【００６７】
さらに、ユーザが録画予約する放送コンテンツが広告ではなく特定のニュースである場合、放送システム１００が番組単位ではなくニュース単位で録画予約できるよう設定されていれば、ユーザは所望のニュースのみを録画することができるため、ニュース番組全体を録画した場合と比較して、録画後に所望のニュースを探し出す手間を省くことができる。したがって、ユーザは必要な情報だけを短時間でチェックすることができる。
【００６８】
【発明の効果】
以上説明したように、本発明の放送コンテンツ提供装置、放送コンテンツ提供方法および記録媒体、並びに放送システムによれば、放送コンテンツの録画を指示する録画指示情報に応じて、提供される放送コンテンツのうち、少なくとも一部の放送コンテンツの録画を指示する録画コマンドを伝送し、録画コマンドを受信した受信端末は、該録画コマンドが指示する放送コンテンツを受信すると該放送コンテンツを録画している。
【００６９】
したがって、ユーザは放送コンテンツの放送時間を気にすることなく所望の放送コンテンツを確実に録画することができる。特に、所望の放送コンテンツがどの時間に提供されるかが不明である場合、従来は所望の放送コンテンツが提供されるまで視聴しながらじっと待機していなければならなかったが、録画コマンドには放送コンテンツの識別情報等が設定されているために録画は自動的に行われ、ユーザによる手間を大幅に省力化できる。
【００７０】
また、持ち運び可能なモバイル端末から録画指示を行うことができるため、ユーザは場所を選ばずにいつでも録画予約することができる。
【図面の簡単な説明】
【図１】本発明の一実施形態に係る放送システムを示すブロック構成図である。
【図２】第１実施例に係る提供広告決定部の内部構成および周辺を示すブロック図である。
【図３】第２実施例に係る提供広告決定部の内部構成および周辺を示すブロック図である。
【図４】第３実施例に係る提供広告決定部の内部構成および周辺を示すブロック図である。
【符号の説明】
１１０  モバイル端末
１１１  送受信部
１１３  表示部
１１５  広告選択部
１２０  コンテンツサーバ
１２１  広告データベース
１２３  広告メニュー送信部
１２５  サーバ受信部
１２７  提供広告決定部
１２９  ユーザ情報データベース
１３１  ユーザ評価データベース
１３３  広告提供部
１３３ａ  広告データ送信部
１３３ｂ  録画コマンド送信部
１３５  広告提供履歴データベース
１４０  ＤＴＶ端末
１４１  コンテンツ受信部
１４１ａ  広告データ受信部
１４１ｂ  録画コマンド受信部
１４３  コンテンツ表示部
１４５  コンテンツ録画部
１５１  双方向協調フィルタリング部
１５３  広告グループ判定部
１５５  ユーザグループ判定部
【図１】
0003907153.tif 000002
【図２】
0003907153.tif 000003
【図３】
0003907153.tif 000004
【図４】
0003907153.tif 000005